(57)【要約】【課題】専用のプロトコルを用いることなく、プレイリストを管理可能とすること。【解決手段】ＤＡＰ１０１は、バックアップ用フォルダを有する記憶部１０３と、ＣＰＵ１０２と、を備える。ＣＰＵ１０２は、ＰＣ１が接続された場合、アプリケーションのプレイリストを、プレイリストファイルとして、記憶部１０３のバックアップ用フォルダに出力する。ＣＰＵ１０２は、プレイリストファイルに、少なくとも、プレイリストの名称であるプレイリスト名を含むヘッダを書き込む。【選択図】図２
2019070954.tif 000002
【特許請求の範囲】
【請求項１】
バックアップ用フォルダを有する内蔵メモリと、
第１制御部と、を備え、
前記第１制御部は、プレイリスト管理装置が接続された場合、アプリケーションのプレイリストを、プレイリストファイルとして、前記内蔵メモリの前記バックアップ用フォルダに出力することを特徴とする電子機器。
【請求項２】
前記第１制御部は、プレイリストファイルに、少なくとも、プレイリストの名称であるプレイリスト名を含むヘッダを書き込むことを特徴とする請求項１に記載の電子機器。
【請求項３】
前記内蔵メモリを含む複数のストレージを備え、
前記第１制御部は、プレイリストファイルに含まれるコンテンツのパスにおける、前記ストレージを示す部分を、コンテンツが記憶されている前記ストレージに応じて、所定の名称に置き換えることを特徴とする請求項１又は２に記載の電子機器。
【請求項４】
前記内蔵メモリは、リストア用フォルダをさらに有し、
前記第１制御部は、前記プレイリスト管理装置との接続が解除された後、前記リストア用フォルダにプレイリストファイルが存在している場合、プレイリストファイルを前記アプリケーションに取り込むことを特徴とする請求項１〜３のいずれか１項に記載の電子機器。
【請求項５】
前記第１制御部は、プレイリストファイル内に、ヘッダがない場合、プレイリストファイルを前記アプリケーションに取り込まないことを特徴とする請求項４に記載の電子機器。
【請求項６】
前記第１制御部は、プレイリストファイルに含まれるコンテンツのパスにおける、前記ストレージを示す部分を、コンテンツが記憶されている前記ストレージの名称に戻すことを特徴とする請求項４又は５に記載の電子機器。
【請求項７】
前記第１制御部は、プレイリストファイルにおいて、コンテンツが存在しない行のパスをアプリケーションに取り込まないことを特徴とする請求項４〜６のいずれか１項に記載の電子機器。
【請求項８】
前記第１制御部は、全てのコンテンツが存在しないプレイリストファイルについて、プレイリストを作成しないことを特徴とする請求項４〜７のいずれか１項に記載の電子機器。
【請求項９】
前記第１制御部は、前記リストア用フォルダにあるプレイリストファイルと同名のプレイリストが前記アプリケーションにある場合、そのプレイリストを上書きし、更新することを特徴とする請求項４〜８のいずれか１項に記載の電子機器。
【請求項１０】
前記第１制御部は、前記リストア用フォルダにあるプレイリストファイルと同名のプレイリストが前記アプリケーションにある場合、そのプレイリストを削除し、プレイリストファイルを前記アプリケーションに取り込むことを特徴とする請求項４〜８のいずれか１項に記載の電子機器。
【請求項１１】
前記第１制御部は、前記リストア用フォルダにある取り込んだプレイリストファイルを削除することを特徴とする請求項４〜１０のいずれか１項に記載の電子機器。
【請求項１２】
メモリと、
第２制御部と、を備え、
前記第２制御部は、電子機器が接続された場合、前記電子機器が備える内蔵メモリ内のバックアップ用フォルダにあるプレイリストファイルを、前記メモリに保存することを特徴とするプレイリスト管理装置。
【請求項１３】
表示部と、
操作部と、をさらに備え、
前記第２制御部は、
前記電子機器が接続された場合、前記表示部に前記メモリ内のプレイリストファイルを表示し、
前記操作部により、プレイリストファイルの選択を受け付け、
選択を受け付けたプレイリストを、前記電子機器が備える前記内部メモリ内のリストア用フォルダに保存することを特徴とする請求項１２に記載のプレイリスト管理装置。
【請求項１４】
請求項１〜１１のいずれか１項に記載の電子機器と、
請求項１２又は１３に記載のプレイリスト管理装置と、
を備えることを特徴とするプレイリスト管理システム。
【発明の詳細な説明】
【技術分野】
【０００１】
本発明は、プレイリストを管理するプレイリスト管理システム、プレイリスト管理装置、及び、電子機器に関する。
【背景技術】
【０００２】
携帯型のデジタルオーディオプレーヤー（ＤＡＰ）の音楽再生アプリケーション等で作成したアプリケーションデータベース（ＤＢ）内のプレイリストを、パーソナルコンピューター（ＰＣ）との接続時に、自動でＰＣにバックアップ（保存）したり、バックアップしたプレイリストをＤＡＰにリストア（復元）したりすることができる場合がある（例えば、特許文献１参照。）。この場合、専用のプロトコルで上記した機能が実現されている（例えば、iPhone（登録商標）とiTunes（登録商標）。）。
【先行技術文献】
【特許文献】
【０００３】
【特許文献１】特表２００５−５３８９５７号公報
【発明の概要】
【発明が解決しようとする課題】
【０００４】
しかしながら、別々の既存プロトコルで通信を行っている数種類の端末において、一様に動作するような場合、上記の方法は適用できない。
【０００５】
本発明の目的は、専用のプロトコルを用いることなく、プレイリストを管理可能とすることである。
【課題を解決するための手段】
【０００６】
第１の発明の電子機器は、バックアップ用フォルダを有する内蔵メモリと、第１制御部と、を備え、前記第１制御部は、プレイリスト管理装置が接続された場合、アプリケーションのプレイリストを、プレイリストファイルとして、前記内蔵メモリの前記バックアップ用フォルダに出力することを特徴とする。
【０００７】
本発明では、第１制御部は、プレイリスト管理装置が接続された場合、アプリケーションのプレイリストを、プレイリストファイルとして、内蔵メモリのバックアップ用フォルダに出力する。これにより、プレイリスト管理装置は、内蔵メモリのバックアップ用フォルダから、自装置のメモリにプレイリストファイルを保存（バックアップ）することができる。このように、本発明によれば、専用のプロトコルを用いることなく、どのようなプロトコルでも一様に動作するような、プレイリスト管理を実現することができる。
【０００８】
第２の発明の電子機器は、第１の発明の電子機器において、前記第１制御部は、プレイリストファイルに、少なくとも、プレイリストの名称であるプレイリスト名を含むヘッダを書き込むことを特徴とする。
【０００９】
本発明では、第１制御部は、プレイリストファイルに、少なくとも、プレイリストの名称であるプレイリスト名を含むヘッダを書き込む。これにより、ヘッダから、プレイリスト名を把握することができる。
【００１０】
第３の発明の電子機器は、第１又は第２の発明の電子機器において、前記内蔵メモリを含む複数のストレージを備え、前記第１制御部は、プレイリストファイルに含まれるコンテンツのパスにおける、前記ストレージを示す部分を、コンテンツが記憶されている前記ストレージに応じて、所定の名称に置き換えることを特徴とする。
【００１１】
本発明では、複数のストレージがあるため、第１制御部は、プレイリストファイルに含まれるコンテンツのパスにおける、ストレージを示す部分を、コンテンツが記憶されているストレージに応じて、所定の名称に置き換える。
【００１２】
第４の発明の電子機器は、第１〜第３のいずれかの発明の電子機器において、前記内蔵メモリは、リストア用フォルダをさらに有し、前記第１制御部は、前記プレイリスト管理装置との接続が解除された後、前記リストア用フォルダにプレイリストファイルが存在している場合、プレイリストファイルを前記アプリケーションに取り込むことを特徴とする。
【００１３】
本発明では、第１制御部は、プレイリスト管理装置との接続が解除された後、リストア用フォルダにプレイリストファイルが存在している場合、プレイリストファイルをアプリケーションに取り込む。これにより、プレイリストをリストアすることができる。
【００１４】
第５の発明の電子機器は、第４の発明の電子機器において、前記第１制御部は、プレイリストファイル内に、ヘッダがない場合、プレイリストファイルを前記アプリケーションに取り込まないことを特徴とする。
【００１５】
第６の発明の電子機器は、第４又は第５の発明の電子機器において、前記第１制御部は、プレイリストファイルに含まれるコンテンツのパスにおける、前記ストレージを示す部分を、コンテンツが記憶されている前記ストレージの名称に戻すことを特徴とする。
【００１６】
第７の発明の電子機器は、第４〜第６のいずれかの発明の電子機器において、前記第１制御部は、プレイリストファイルにおいて、コンテンツが存在しない行のパスをアプリケーションに取り込まないことを特徴とする。
【００１７】
第８の発明の電子機器は、第４〜第７のいずれかの発明の電子機器において、前記第１制御部は、全てのコンテンツが存在しないプレイリストファイルについて、プレイリストを作成しないことを特徴とする。
【００１８】
第９の発明の電子機器は、第４〜第８のいずれかの発明の電子機器において、前記第１制御部は、前記リストア用フォルダにあるプレイリストファイルと同名のプレイリストが前記アプリケーションにある場合、そのプレイリストを上書きし、更新することを特徴とする。
【００１９】
第１０の発明の電子機器は、第４〜第８のいずれかの発明の電子機器において、前記第１制御部は、前記リストア用フォルダにあるプレイリストファイルと同名のプレイリストが前記アプリケーションにある場合、そのプレイリストを削除し、プレイリストファイルを前記アプリケーションに取り込むことを特徴とする。
【００２０】
第１１の発明の電子機器は、第４〜第１０のいずれかの発明の電子機器において、前記第１制御部は、前記リストア用フォルダにある取り込んだプレイリストファイルを削除することを特徴とする。
【００２１】
第１２の発明のプレイリスト管理装置は、メモリと、第２制御部と、を備え、前記第２制御部は、電子機器が接続された場合、前記電子機器が備える内蔵メモリ内のバックアップ用フォルダにあるプレイリストファイルを、前記メモリに保存することを特徴とする。
【００２２】
本発明では、第２制御部は、電子機器が接続された場合、電子機器が備える内蔵メモリ内のバックアップ用フォルダにあるプレイリストファイルを、メモリに保存する。これにより、プレイリスト管理装置のメモリにプレイリストファイルをバックアップすることができる。
【００２３】
第１３の発明のプレイリスト管理装置は、第１２のプレイリスト管理装置において、表示部と、操作部と、をさらに備え、前記第２制御部は、前記電子機器が接続された場合、前記表示部に前記メモリ内のプレイリストファイルを表示し、前記操作部により、プレイリストファイルの選択を受け付け、選択を受け付けたプレイリストを、前記電子機器が備える前記内部メモリ内のリストア用フォルダに保存することを特徴とする。
【００２４】
本発明では、第２制御部は、選択を受け付けたプレイリストを、電子機器が備える内部メモリ内のリストア用フォルダに保存する。これにより、電子機器は、リストア用フォルダにあるプレイリストファイルにより、プレイリストをリストアすることができる。
【００２５】
第１４の発明のプレイリスト管理システムは、第１〜第１１のいずれかの発明の電子機器と、第１２又は第１３の発明のプレイリスト管理装置と、を備える。
【発明の効果】
【００２６】
本発明によれば、専用のプロトコルを用いることなく、どのようなプロトコルでも一様に動作するような、プレイリスト管理を実現することができる。
【図面の簡単な説明】
【００２７】
【図１】本発明の実施形態に係るコンテンツ管理システムの構成を示すブロック図である。
【図２】ＤＡＰに記憶されているプレイリストをＰＣにバックアップする場合のコンテンツ管理システムの処理動作を示す図である。
【図３】ストレージ名変換表である。
【図４】ＰＣに記憶されているプレイリストをＤＡＰにリストアする場合のコンテンツ管理システムの処理動作を示す図である。
【発明を実施するための形態】
【００２８】
（コンテンツ管理システム）
以下、本発明の実施形態について説明する。図１は、本実施形態に係るコンテンツ管理システム３００の構成を示すブロック図である。コンテンツ管理システム３００は、デジタルオーディオプレーヤー（以下、「ＤＡＰ」という。）１０１に記憶されているコンテンツを管理するものであり、プレイリストを管理するプレイリスト管理システムとして機能する。コンテンツ管理システム３００は、コンテンツ管理装置（プレイリスト管理装置）として機能するパーソナルコンピューター（以下、「ＰＣ」という。）１と、ＤＡＰ１０１と、を備える。
【００２９】
（ＰＣ）
ＰＣ１は、記憶部５に記憶されているコンテンツ管理アプリケーションＰが実行されることにより、コンテンツを管理するコンテンツ管理装置として機能する。ＰＣ１は、ＣＰＵ（Central Processing Unit）２、ＲＯＭ（Read Only Memory）３、ＲＡＭ（Random Access Memory）４、記憶部５、表示部６、操作部７、ＵＳＢインターフェース（以下、「ＵＳＢ  Ｉ／Ｆ」という。）８、ネットワークインターフェース（以下、「ＮＷ  Ｉ／Ｆ」という。）９、スピーカー１０を備える。なお、コンテンツ管理プログラムＰは、工場出荷時にＰＣ１の記憶部５に記憶されていてもよいし、後述するＮＷ  Ｉ／Ｆ９を介して、図示しないサーバーからダウンロードされ、ＰＣ１の記憶部５に記憶されていてもよい。
【００３０】
ＣＰＵ２（第２制御部）は、制御プログラム、ＯＳ（Operating System）プログラム、コンテンツ管理アプリケーションＰ１を含むアプリケーションプログラムに従って、ＰＣ１を構成する各部を制御する。
【００３１】
ＲＯＭ３は、制御プログラムを記憶する。ＲＡＭ４は、ＣＰＵ２の主メモリとして機能する。記憶部５（メモリ）は、ＯＳプログラム、コンテンツ管理アプリケーションＰを含むアプリケーションプログラム等のプログラム、音楽、静止画、動画等のコンテンツを記憶するＨＤＤ（Hard Disc Drive）である。なお、記憶部５は、例示する構成に限られず、ＳＳＤ（Solid State Drive）等であってもよい。
【００３２】
表示部６は、種々の画像（静止画、動画を含む）を表示するものであり、例えば、液晶ディスプレイである。操作部７は、キーボードやマウス等から構成されており、各種設定、コンテンツの転送指示等を行うためのものである。ユーザーは、操作部７を介して、コンテンツ管理アプリケーションＰ１の実行、ＤＡＰ１０１へのコンテンツの転送指示等を行うことが可能である。ＵＳＢ  Ｉ／Ｆ８は、ＤＡＰ１０１とＵＳＢ規格に対応した通信を行うためのインターフェースである。ＰＣ１は、ＵＳＢ  Ｉ／Ｆ８を介して、ＤＡＰ１０１と通信を行うことが可能である。ＮＷ  Ｉ／Ｆ９は、図示しないネットワークを介してインターネットに接続するためのインターフェースである。ＰＣ１は、ＮＷ  Ｉ／Ｆ９を介して、他の端末と通信等を行うことが可能である。スピーカー１０は、ＣＰＵ２から出力される音声信号に基づいて、音楽等の種々の音声を出力する。
【００３３】
（ＤＡＰ）
ＤＡＰ１０１（電子機器）は、記憶部１０３に記憶されているミュージックアプリケーションＰ２が実行されることにより、音楽（コンテンツ）を再生する音楽再生装置として機能する。ＤＡＰ１０１は、ヘッドホン２００にアナログオーディオデータを出力する。ヘッドホン２００は、アナログオーディオデータに基づいて、音声を外部に出力する。ＤＡＰ１０１は、ＣＰＵ１０２、ＲＯＭ１１４、ＲＡＭ１１５、記憶部１０３、メモリーカード１０４、１０５、表示部１０６、操作部１０７、ＤＳＰ（Digital Signal Processor）１０８、Ｄ／Ａコンバーター（以下、「ＤＡＣ」という。）１０９、増幅器１１０、無線モジュール１１１、ＵＳＢインターフェース（以下、「ＵＳＢ  Ｉ／Ｆ」という。）１１２を備える。
【００３４】
ＣＰＵ１０２（第１制御部）は、制御プログラム、ＯＳプログラム、ミュージックアプリケーションＰ２を含むアプリケーションプログラムに従って、ＤＡＰ１０１を構成する各部を制御する。ＲＯＭ１１４は、制御プログラムを記憶する。ＲＡＭ１１５は、ＣＰＵ１０２の主メモリとして機能する。記憶部１０３（内蔵メモリ、ストレージ）は、ＯＳプログラム、アプリケーションプログラム等のプログラム、コンテンツ等の各種データを記憶するフラッシュメモリである。記憶部１０３は、内蔵ストレージである。なお、記憶部１０３は、例示する構成に限られず、ＨＤＤ（Hard Disk Drive）等であってもよい。
【００３５】
メモリーカード１０４、１０５（ストレージ）は、コンテンツを記憶する。メモリーカード１０４、１０５は、例えば、ｍｉｃｒｏＳＤカードである。メモリーカード１０４、１０５は、外部ストレージである。表示部１０６は、種々の画像（静止画像、動画像を含む）を表示するものであり、液晶パネルにより構成されている。操作部１０７は、各種設定を行うための操作キー、及び、表示部１０６と連動したタッチパネルを備えている。ユーザーは、操作部１０７を介して、各種の文字入力、設定などを行うことが可能である。また、ユーザーは、操作部１０７を介して、コンテンツの再生順を指定するプレイリストを作成することが可能である。
【００３６】
ＤＳＰ１０８は、デジタルオーディオデータ（コンテンツ）に、イコライザー処理等の信号処理を行う。ＤＡＣ１０９は、デジタルオーディオデータをアナログオーディオデータにＤ／Ａ変換する。増幅器１１０は、ＤＡＣ１０９がＤ／Ａ変換したアナログオーディオデータを増幅し、ヘッドホン２００に出力する。無線モジュール１１１（ネットワークインターフェース）は、Ｂｌｕｅｔｏｏｔｈ（登録商標）規格、Ｗｉ−Ｆｉ規格に従った無線通信を行うためのものである。ＤＡＰ１０１は、無線モジュール１１２を介して、外部サーバーと通信可能である。ＵＳＢ  Ｉ／Ｆ１１３は、ＵＳＢ規格に従った通信を行うためのものである。ＤＡＰ１０１は、ＵＳＢ  Ｉ／Ｆ１１３を介して、ＰＣ１と通信を行うことが可能である。
【００３７】
ＰＣ１は、記憶部１０３、メモリーカード１０４、１０５に記憶されているコンテンツを管理する。ＰＣ１とＤＡＰ１０１とは、ＵＳＢケーブルによって接続される。
【００３８】
次に、ＤＡＰ１０１に記憶されているプレイリストをＰＣ１にバックアップする場合のコンテンツ管理システム３００の処理動作について説明する。図２は、ＤＡＰ１０１に記憶されているプレイリストをＰＣ１にバックアップする場合のコンテンツ管理システム３００の処理動作を示す図である。なお、図２において、ＤＡＰ１０１の記憶部１０３を「内蔵メモリ」、メモリーカード１０４を「ＳＤカード１」、メモリーカード１０５を「ＳＤカード２」と記載している。
【００３９】
ＤＡＰ１０１の記憶部１０３には、バックアップ用フォルダとリストア用フォルダとが作成されている。ＰＣ１にＤＡＰ１０１が接続されると、ＤＡＰ１０１は、ＵＳＢ接続モードになる。このとき、ＤＡＰ１０１のＣＰＵ１０２は、ミュージックアプリケーションＰ２の全てのプレイリストを、プレイリストファイルとして、記憶部１０３内のバックアップ用フォルダに出力する（１）。出力時、ＣＰＵ１０２は、プレイリストファイルに独自ヘッダを書き込む。独自ヘッダには、少なくともプレイリスト名を含める。
【００４０】
プレイリストファイルにおけるコンテンツへのパスは、ストレージが複数存在する場合を考慮し（ＤＡＰ１０１には、記憶部１０３、メモリーカード１０４、１０５の３つのストレージが存在する）、ストレージへのパス部を、図３に示すように置き換え、以下のように記述する。
file://{ストレージ名}/dir/content.mp3
プレイリストファイルには、以下のように、コンテンツへのパスが並べて記載されている。
file://internal/dir/content1.mp3
file://sd1/dir/content2.mp3
file://sd2/dir/content3.mp3
なお、図３において、ＤＡＰ１０１の記憶部１０３を「内部ストレージ」、メモリーカード１０４を「ＳＤ１」、メモリーカード１０５を「ＳＤ２」と記載している。
【００４１】
このように、ＣＰＵ１０２は、プレイリストファイルに含まれるコンテンツのパスにおける、ストレージを示す部分を、コンテンツが記憶されているストレージに応じて、所定の名称に置き換える。
【００４２】
ＰＣ１のＣＰＵ２は、ＤＡＰ１０１の記憶部１０３内のバックアップ用フォルダをコピーし、ＰＣ１の記憶部３内の任意のフォルダに保存する（２）。すなわち、ＣＰＵ２は、ＤＡＰ１０１が備える記憶部１０３内のバックアップ用フォルダにあるプレイリストファイルを、記憶部３に保存（バックアップ）する。
【００４３】
次に、ＰＣ１に記憶されているプレイリストをＤＡＰ１０１にリストアする場合のコンテンツ管理システム３００の処理動作について説明する。図４は、ＰＣ１に記憶されているプレイリストをＤＡＰ１０１にリストアする場合のコンテンツ管理システム３００の処理動作を示す図である。なお、図４において、ＤＡＰ１０１の記憶部１０３を「内蔵メモリ」、メモリーカード１０４を「ＳＤカード１」、メモリーカード１０５を「ＳＤカード２」と記載している。
【００４４】
ＰＣ１のＣＰＵ２は、ＤＡＰ１０１がＵＳＢ接続されると、ＤＡＰ１０１からコピーしたプレイリストを、表示部６に表示することで、ユーザーに提示し、操作部７により、リストアするプレイリストを選択させる。すなわち、ＣＰＵ２は、表示部６に記憶部５内のプレイリストファイルを表示し、操作部７により、プレイリストファイルの選択を受け付ける。ＣＰＵ２は、選択を受け付けた（ユーザーにより選択された）プレイリストファイルを、ＤＡＰ１０１の記憶部１０３内のリストア用フォルダにコピーする（１）。
【００４５】
ＤＡＰ１０１は、ＵＳＢ接続が解除されると、以下の処理を行う。ＤＡＰ１０１のＣＰＵ１０２は、リストア用フォルダ内にプレイリストファイルが存在していたら、解析を行い、ミュージックアプリケーションＰ２に取り込む（２）。このとき、ＣＰＵ１０２は、以下を確認する。ＣＰＵ１０２は、プレイリストファイル内に独自ヘッダがない場合は、プレイリストファイルをミュージックアプリケーションＰ２に取り込まない。ＣＰＵ１０２は、コンテンツへのパスは、図３に示す表により、取り込み時に読み替えを行う。すなわち、ＣＰＵ１０２は、プレイリストファイルに含まれるコンテンツのパスにおける、ストレージを示す部分を、コンテンツが記憶されているストレージの名称に戻す。ＣＰＵ１０２は、プレイリストファイルにおいて、コンテンツが存在しない行のパスをミュージックアプリケーションＰ２に取り込まない。ＣＰＵ１０２は、全てのコンテンツが存在しないプレイリストファイルについて、プレイリストを作成しない。ＣＰＵ１０２は、リストア用フォルダにあるプレイリストファイルと同名のプレイリストがミュージックアプリケーションＰ２に既にある場合、そのプレイリストを上書きし、更新する。又は、ＣＰＵ１０２は、ミュージックアプリケーションＰ２の同名のプレイリストを削除し、プレイリストファイルをミュージックアプリケーションＰ２に取り込む。なお、ＣＰＵ１０２は、プレイリスト名が同名であるか否かを、ヘッドに含まれるプレイリスト名から判断することができる。ＣＰＵ１０２は、リストア用フォルダにある取り込んだプレイリストファイルを削除する（３）。
【００４６】
以上説明したように、本実施形態では、ＤＡＰ１０１のＣＰＵ２は、ＰＣ１が接続された場合、ミュージックアプリケーションＰ２のプレイリストを、プレイリストファイルとして、記憶部１０３のバックアップ用フォルダに出力する。これにより、ＰＣ１は、記憶部１０３のバックアップ用フォルダから、記憶部５にプレイリストファイルを保存（バックアップ）することができる。このように、本実施形態によれば、専用のプロトコルを用いることなく、どのようなプロトコルでも一様に動作するような、プレイリスト管理を実現することができる。
【００４７】
また、本実施形態では、ＤＡＰ１０１のＣＰＵ１０２は、プレイリストファイルに、少なくとも、プレイリストの名称であるプレイリスト名を含むヘッダを書き込む。これにより、ヘッダから、プレイリスト名を把握することができる。
【００４８】
また、本実施形態では、複数のストレージがあるため、ＤＡＰ１０１のＣＰＵ１０２は、プレイリストファイルに含まれるコンテンツのパスにおける、ストレージを示す部分を、コンテンツが記憶されているストレージに応じて、所定の名称に置き換える。
【００４９】
また、本実施形態では、ＤＡＰ１０１のＣＰＵ１０２は、ＰＣ１との接続が解除された後、リストア用フォルダにプレイリストファイルが存在している場合、プレイリストファイルをアプリケーションに取り込む。これにより、プレイリストをリストアすることができる。
【００５０】
また、本実施形態では、ＰＣ１のＣＰＵ２は、ＤＡＰ１０１が接続された場合、ＤＡＰ１０１が備える記憶部１０３内のバックアップ用フォルダにあるプレイリストファイルを、記憶部５に保存する。これにより、ＰＣ１の記憶部５にプレイリストファイルをバックアップすることができる。
【００５１】
また、本実施形態では、ＰＣ１のＣＰＵ２は、選択を受け付けたプレイリストを、ＤＡＰ１０１が備える記憶部１０３内のリストア用フォルダに保存する。これにより、ＤＡＰ１０１は、リストア用フォルダにあるプレイリストファイルにより、プレイリストをリストアすることができる
【００５２】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５３】
上述の実施形態においては、電子機器として、ＤＡＰ１０１を例示した。これに限らず、プレイリストを作成可能な電子機器であれば、スマートフォン、タブレット等であってもよい。
【産業上の利用可能性】
【００５４】
本発明は、プレイリストを管理するプレイリスト管理システム、プレイリスト管理装置、及び、電子機器に好適に採用され得る。
【符号の説明】
【００５５】
１  ＰＣ（プレイリスト管理装置）
２  ＣＰＵ（第２制御部）
３  記憶部（メモリ）
１０１  ＤＡＰ（電子機器）
１０２  ＣＰＵ（第１制御部）
１０３  記憶部（内蔵メモリ、ストレージ）
１０４、１０５  メモリーカード（ストレージ）
３００  コンテンツ管理システム
Ｐ１  コンテンツ管理アプリケーション
Ｐ２  ミュージックアプリケーション
【図１】
2019070954.tif 000003
【図２】
2019070954.tif 000004
【図３】
2019070954.tif 000005
【図４】
2019070954.tif 000006